【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
頭部装着型ディスプレイを介して画像を表示する方法であって、
複数の光線を射出するステップであって、前記複数の光線のうち少なくとも１つの光線の波長は、前記複数の光線のうち少なくとも１つの他の光線の波長と異なる、ステップと、
投影される画像に対応する強度情報に少なくとも部分的に基づいて、前記複数の光線の少なくとも１つの光線の強度を調節するステップと、
前記頭部装着型ディスプレイのホログラフィック光学素子に向けて２つの別個の軸において前記複数の光線を走査して、前記画像を形成するステップと、
前記ホログラフィック光学素子を介して、前記複数の光線を複数の空間的に分離された射出瞳に向け直して、前記複数の射出瞳に前記画像を投影するステップと、
を含む方法。
【請求項２】
前記光線の前記強度は、前記画像内の画素値を表す、
請求項１に記載の方法。
【請求項３】
前記複数の光線の各光線について、画像登録と画像歪み補正とのうち１つ以上を前記画像に対して適用して、互いに関連した前記複数の射出瞳の空間的位置に基づいて、投影される前記画像を位置合わせするステップ、
を含む、請求項１に記載の方法。
【請求項４】
前記複数の射出瞳を空間的に配置して、前記画像の視認のために拡大されたアイボックスを形成するステップ、
を含む、請求項１に記載の方法。
【請求項５】
前記複数の光線を同軸に結合して、前記複数の射出瞳の各々に対応する前記複数の光線間の角度差を補正するステップ、
を含む、請求項１に記載の方法。
【請求項６】
ユーザーの視線方向を決定するステップ、
を更に含む、請求項１に記載の方法。
【請求項７】
前記複数の光線を走査するステップは、微小電気機械システム（ＭＥＭＳ）に基づく走査ミラーにより、前記複数の光線を走査するステップ、を含む、
請求項１に記載の方法。
【請求項８】
複数の光線を射出する光源であって、前記複数の光線のうち少なくとも１つの光線の波長は、前記複数の光線のうち少なくとも１つの他の光線の波長と異なる、光源と、
２つの別個の軸において前記複数の光線を走査して、画像を形成する走査ミラーと、
走査された前記複数の光線を前記走査ミラーから受けて、前記複数の光線を複数の空間的に分離された射出瞳に向け直して、前記画像を前記複数の射出瞳に投影するホログラフィック光学素子と、
前記光源、前記走査ミラーおよび前記ホログラフィック光学素子を互いに一定の関係に保持するフレームであって、ユーザーの頭部に装着されるように構成されるフレームと、
を備える、頭部装着型ディスプレイ。
【請求項９】
前記光源は、投影される画像に対応する強度情報に少なくとも部分的に基づいて、前記複数の光線のうち少なくとも１つの光線の強度を調節するように構成される、
請求項８に記載の頭部装着型ディスプレイ。
【請求項１０】
前記光線の前記強度は、前記画像内の画素値を表す、
請求項９に記載の頭部装着型ディスプレイ。
【請求項１１】
前記複数の光線の各光線について、画像登録と画像歪み補正のうち１つ以上を前記画像に対して適用して、互いに関連した前記複数の射出瞳の空間的位置に基づいて、投影される前記画像を位置合わせする画像プロセッサ、
を備える、請求項８に記載の頭部装着型ディスプレイ。
【請求項１２】
前記複数の射出瞳の空間配置は、前記画像の視認のための拡大されたアイボックスを形成する、
請求項８に記載の頭部装着型ディスプレイ。
【請求項１３】
前記複数の光線を同軸に結合して、前記複数の射出瞳の各々に対応する前記複数の光線間の角度差を補正するコンバイナレンズ、
を備える、請求項８に記載の頭部装着型ディスプレイ。
【請求項１４】
空間的に分離された前記複数の射出瞳は、前記ユーザーのアイボックスを拡大するように構成される、
請求項８に記載の頭部装着型ディスプレイ。
【請求項１５】
前記ユーザーの視線方向を決定する視線追跡部、
を更に備える、請求項８に記載の頭部装着型ディスプレイ。
【請求項１６】
前記フレームはアイウェアフレームを含む、
請求項８に記載の頭部装着型ディスプレイ。
【請求項１７】
前記光源はレーザー光源を含む、
請求項８に記載の頭部装着型ディスプレイ。
【請求項１８】
前記走査ミラーは、微小電気機械システム（ＭＥＭＳ）ベースの走査ミラーを含む、
請求項８に記載の頭部装着型ディスプレイ。
【請求項１９】
前記フレームに保持される眼鏡レンズであって、前記ホログラフィック光学素子が一体化される眼鏡レンズと、
前記フレームに保持される走査投影器であって、前記眼鏡レンズに隣接して配置され、前記光源および前記走査ミラーを含む、走査投影器と、
前記走査投影器に結合される投影レンズと、
を更に備える、請求項８に記載の頭部装着型ディスプレイ。
【請求項２０】
眼で視認可能な画像を表示する方法であって、前記画像はポータブル頭部装着型ディスプレイから投影され、前記方法は、
複数の光線を射出するステップと、
前記複数の光線を走査ミラーに向けるステップと、
前記画像から供給される強度情報に従って、前記複数の光線の各々を強度について調節するステップであって、前記強度は前記画像内の画素値を表す、ステップと、
前記走査ミラーにより、２つの別個の軸において前記複数の光線の各々を走査して、前記画像を形成するステップと、
前記光線の反射器として機能する光学素子を用いて、前記複数の光線を前記眼に向け直すステップであって、向け直す工程は前記光学素子に対する前記光線の入射角に依存し、各光線について、その他の光線の射出瞳から空間的に分離された射出瞳を、前記眼において創出するステップと、
を含む方法。
【請求項２１】
前記光線の各々について、画像登録および歪み補正を前記画像に対して適用して、各光線についての前記射出瞳の位置に従って、前記複数の光線によって作り出された表示される前記画像を位置合わせするステップ、
を更に含む、請求項２０に記載の方法。
【請求項２２】
前記複数の光線によって形成された前記射出瞳を空間的に配置して、前記画像の視認のために前記眼が前記ポータブル頭部装着型ディスプレイに対して位置合わせされる拡大領域を形成するステップ、
を更に含む、請求項２０に記載の方法。
【請求項２３】
前記複数の光線は別々の可視波長の３つの光であり、それにより、前記射出瞳の各々について、フルカラー画像のために３つの光線が創出される、
請求項２０に記載の方法。
【請求項２４】
前記光学素子は、ホログラフィック光学素子である、
請求項２３に記載の方法。
【請求項２５】
前記ホログラフィック光学素子は、前記複数の光線の波長に厳密に適合した複数のホログラム書込みレーザーを用いて記録され、前記ホログラム書込みレーザーの各々のビームは、前記ポータブル頭部装着型ディスプレイによって創出される前記射出瞳および投影光源点の前記空間的および角度的定位に適合するように、ホログラム記録構成において空間的に配置される、
請求項２４に記載の方法。
【請求項２６】
前記書込みレーザーの各々の前記ビームは、光ファイバーを用いて空間的に配置される、
請求項２５に記載の方法。
【請求項２７】
前記ポータブル頭部装着型ディスプレイのユーザーの眼の位置を追跡するステップと、
所与の瞬間における前記眼の位置に対応して、前記射出瞳の各々に関連する前記複数の光線のうち選択された光線を無効化して、ディスプレイ電力消費を低減するために正しく位置合わせされていない射出瞳を無効化するステップと、
を更に含む、請求項２０に記載の方法。
【請求項２８】
前記複数の光線によって形成された前記射出瞳を空間的に配置するステップであって、個々の光線は、空間的に分離された複数の射出瞳を形成して、前記眼により同時に視認されない複数の関心領域を創出し、各関心領域はより大きな全体視野内に視野サブセットと関連する複数の射出瞳とを伴う、ステップ、
を更に含む、請求項２０に記載の方法。